(57)【要約】【課題】第１、第２検出端子の接触部を清潔にして、互いに電気接続することを確保する電子カード用コネクタを提供すること。【解決手段】本考案による電子カードが挿入される電子カード用コネクタは、収納スペースが形成される絶縁本体と、絶縁本体に挿入され、電子カードを電気接続する複数の導電端子と、移動可能なスライダを含んで、電子カードを排出可能なイジェクト機構と、絶縁本体に挿入される第１検出端子及び第２検出端子と、スライダに取り付けられる金属片と、を備える。前記第１、第２検出端子は、金属片がスライダに伴って移動する過程で、金属片に摩擦されて金属片と接触することによって、電気接続される。【選択図】図４
0003122167.tif 000002
【実用新案登録請求の範囲】
【請求項１】
電子カードが挿入される電子カード用コネクタであって、
収納スペースが形成される絶縁本体と、
絶縁本体に挿入され、電子カードを電気接続する複数の導電端子と、
移動可能なスライダを含んで、電子カードを排出可能なイジェクト機構と、
絶縁本体に挿入される第１検出端子及び第２検出端子と、
スライダに取り付けられる金属片と、
を備え、前記第１、第２検出端子は、金属片がスライダに伴って移動する過程で、金属片に摩擦されて金属片と接触することによって電気接続されることを特徴とする電子カード用コネクタ。
【請求項２】
前記金属片は、スライダに固着されることを特徴とする請求項１に記載の電子カード用コネクタ。
【請求項３】
前記絶縁本体には、第１、第２検出端子を挿入する第３端子槽が形成され、イジェクト機構を装入する装着部が設けられることを特徴とする請求項２に記載の電子カード用コネクタ。
【請求項４】
前記第１、第２検出端子には、それぞれ第３端子槽から上向きに突出する第３接触部が設けられることを特徴とする請求項３に記載の電子カード用コネクタ。
【請求項５】
絶縁本体は、複数の側壁を含み、前記第１、第２検出端子が挿入される第３端子槽は、装着部或いは装着部と隣接する同じ側壁に設けられ、前記金属片は、スライダに固着され、第３端子槽に対応することを特徴とする請求項４に記載の電子カード用コネクタ。
【請求項６】
絶縁本体は、複数の側壁を含み、前記第１、第２検出端子が挿入される第３端子槽は、それぞれ装着部と絶縁本体の側壁に設けられることを特徴とする請求項４に記載の電子カード用コネクタ。
【請求項７】
前記金属片は、それぞれ第１、第２検出端子と接触可能な、互いに連接する第１、第２金属片を有することを特徴とする請求項６に記載の電子カード用コネクタ。
【請求項８】
前記スライダには、複数のスロットが形成され、前記金属片は、第１、第２検出端子と接触可能な主体部と、前記スロットに係合される複数の凸状部片と、を有することを特徴とする請求項５或いは請求項６に記載の電子カード用コネクタ。
【請求項９】
前記第１、第２検出端子には、第３接触部の前端に設けられる摩擦部を設置することを特徴とする請求項５或いは請求項６に記載の電子カード用コネクタ。
【請求項１０】
前記検出端子は、弾力部と、第３半田部と、弾力部と第３半田部を連接する連接部と、を備えることを特徴とする請求項９に記載の電子カード用コネクタ。
【請求項１１】
前記イジェクト機構は、弾性変形可能なバネ体と、一端が絶縁本体に定位され、他端がスライド槽にスライド可能なレバーと、を備えることを特徴とする請求項８に記載の電子カード用コネクタ。
【請求項１２】
前記金属片には、阻止部が設けられ、スライダは、金属片の阻止部が電子カードによって押されることによって、電子カードが移動することに伴って、スライドすることを特徴とする請求項１１に記載の電子カード用コネクタ。
【請求項１３】
前記電子カード用コネクタは、絶縁本体を覆う蓋体を有することを特徴とする請求項１に記載の電子カード用コネクタ。
【考案の詳細な説明】
【技術分野】
【０００１】
本考案は電子カード用コネクタに関し、特に、電子カードを挿入するために用いる電子カード用コネクタに関する。
【背景技術】
【０００２】
電子カードを挿入する電子カード用コネクタは、収納槽が形成される絶縁本体と、該絶縁本体に収納される複数の導電端子と、第１、第２検出端子と、を備える。第１検出端子は、主体部と、外側に第１接触部が設けられるドーム状部と、外側に第２接触部が設けられる延在アームと、主体部とドーム状部を連接する弾力部と、を備える。第２検出端子は、第３接触部を有する。絶縁本体には、ドーム状部と延在アームから包囲されるスペースに向かって突出する阻止塊が、設けられる。第１検出端子は、阻止塊によって、前記収納槽に向かって移動することが防止される。電子カードは、収納槽に挿入されることに伴って、第１接触部を推し進める。第２接触部は、第１検出端子に伴って推し進められて、第２検出端子の第３接触部と接触する。これにより、第１、第２検出端子は電気接続される（例えば、特許文献１参照）。
【特許文献１】台湾特許５７７，６４４号公報
【０００３】
ところで、該第１、第２検出端子は、第２接触部が第３接触部と接触することによって電気接続する。これにより、第２、第３接触部に付着されるほこりは除去されない。又、第１、第２検出端子は、互いに接触するよう正確に位置付けられなければならない。これにより、製作が複雑である。
【０００４】
従って、本考案は前記の欠点を克服するために一種の新たな電子カード用コネクタを設計する。
【考案の開示】
【考案が解決しようとする課題】
【０００５】
本考案の目的は、こうした従来の問題点を解決した電子カード用コネクタを提供することである。すなわち、従来の技術とは異なり、第１、第２検出端子の接触部を清潔にして、互いに電気接続することを確保する電子カード用コネクタが得られるようにすることである。
【課題を解決するための手段】
【０００６】
本考案は電子カードが挿入される電子カード用コネクタに関し、該電子カード用コネクタは、収納スペースが形成される絶縁本体と、絶縁本体に挿入され、電子カードと電気接続する複数の導電端子と、移動可能なスライダを含んで、電子カードを排出可能なイジェクト機構と、絶縁本体に挿入される第１検出端子及び第２検出端子と、スライダに取り付けられる金属片と、を備える。前記第１、第２検出端子は、金属片がスライダに伴って移動する過程で、金属片に摩擦されて金属片と接触することによって電気接続される。
【考案の効果】
【０００７】
従来の技術に比べると、本考案は以下の長所がある。本考案の電子カード用コネクタの第１、第２検出端子は、金属片に摩擦されることによって、付着されるほこりが除去される。これにより、きれいな第１、第２検出端子が電気接続されることを確保する。又、該第１、第２検出端子は、金属片と接触することによって電気接続される。金属片の面積は、端子の面積より非常に広い。これにより、第１、第２検出端子が、互いに接触する場合に比べて、金属片を介する接触が容易に行われる。また、第１、第２検出端子を正確に位置付ける必要がない。
【考案を実施するための最良の形態】
【０００８】
図１及び図４に示すように、電子カード６を挿入する電子カード用コネクタ１００は、絶縁本体４と、絶縁本体４に挿入される複数の導電端子２と、一対の検出端子３と、絶縁本体４に取り付けられるイジェクト機構５と、絶縁本体４を覆う蓋体１と、を備える。
【０００９】
第１実施形態において、図３及び図４に示すように、絶縁本体４は、基部４１と、基部４１から上向きに延在する第１側壁４２と、第２側壁４３と、収納スペース（参照符号無し）とを備える。基部４１は、第１側壁４２の前端に連接する前壁４４と、第１側壁４２の後端に連接する後壁４５と、を有する。基部４１には、前端に形成される複数の矩形の第１端子槽４１１と、後端に形成される複数の矩形の第２端子槽４１２と、基部４１に隣接する装着部４１３と、が設けられる。第１側壁４２には、外方へ突出する複数の係合塊４２１が設けられる。前壁４４の内側には、定位槽４４１が形成される。後壁４５の内側には、前向きに突出する定位柱４５１が設けられる。装着部４１３には、矩形の第３端子槽４１３１が形成される。
【００１０】
図４に示すように、導電端子２は、縦方向に向かって延在する第１導電端子２１と、第１導電端子２１より短い第２導電端子２２と、を含む。第１、第２導電端子２１、２２は、それぞれ第１、第２接触部２１１、２２１と、第１、第２半田部２１２、２２２と、を有する。検出端子３は、第１、第２検出端子３１、３２を有する。各検出端子３は、第３接触部３３と、第３接触部３３の前端に設けられる摩擦部３７と、弾力部３４と、第３半田部３５と、弾力部３４と第３半田部３５を連接するZ字状の連接部３６と、を備える。
【００１１】
図４及び図５に示すように、イジェクト機構５は、スライダ５１と、レバー５２と、金属片５３と、コイルバネ５４と、を備える。スライダ５１の上表面には、縦方向に沿って延在する収納槽５１１が形成される。該収納槽５１１は、スライダ５１の後表面を貫通して円孔が形成される。スライダ５１の上表面には、定位端５１２１を含むY字状のスライド槽５１２が形成される。スライダ５１の下表面には、底面５１４と、底面５１４の中間から凹んでいる矩形の凹部５１３と、を有する。底面５１４には、スライダ５１の後表面を貫通する嵌合槽５１４１が形成される。凹部５１３には、複数のスロット５１３１が形成される。
【００１２】
レバー５２は、前端に設けられる定位端５２２と、後端に設けられる接触端５２１と、有する。金属片５３は、複数の凸状部片５３２が設けられる矩形の主体部５３０と、主体部５３０の一端から後向きに延在するアーム部５３１と、を有する。アーム部５３１は、その自由端から折り曲げられる阻止部５３１１と、上向きに延在する嵌合部５３３と、を具備する。
【００１３】
図２及び図４に示すように、蓋体１は、頂面１１と、頂面１１から下向きに延在する一対の側面１２と、を備える。頂面１１には、弾性変形可能な係合片１３が設けられる。側面１２には、複数の係合孔１４が形成され、複数の半田付け部１５が設けられる。
【００１４】
図１乃至図５に示すように、電子カード用コネクタ１００の取付時、先ず、第１、第２導電端子２１、２２と検出端子３は、それぞれ対応する第１、第２、第３端子槽４１１、４１２、４１３１に挿入される。第１、第２、第３接触部２１１、２２１、３３は、対応する端子槽４１１，４１２，４１３１から上向きに突出する。金属片５３は、スライダ５１に実装される。次に、金属片５の主体部５３０は、スライダ５１の凹部５１３を覆う。複数の凸状部片５３２は、対応するスロット５１３１に嵌め込まれる。嵌合部５３３は、嵌合槽５１４１に嵌合される。阻止部５３１１は、嵌合槽５１４１から外方へ延在する。金属片５３を含むスライダ５１は、絶縁本体４の装着部４１３に装入される。検出端子３の第３接触部３３は、スライダ５１の底面５１４に接触する。金属片５３の阻止部５３１１は、基部４１に向かって突出する。コイルバネ５４は、一端がスライダ５１の収納槽５１１に嵌め込まれ、他端が絶縁本体４の定位柱４５１に固着される。レバー５２は、定位端５２２が絶縁本体４の定位槽４４１に嵌合され、接触端５２１がスライド槽５１２に移動可能に収納される。最後に、蓋体１は、絶縁本体４に組み合わされる。蓋体１の頂面１１は、基部４１を覆う。蓋体１の係合孔１４は、絶縁本体４の係合塊４２１と係合される。これにより、電子カード用コネクタ１００は一体にされる。
【００１５】
図１及び図６に示すように、電子カード６は、電子カード用コネクタ１００に電気接続する時、絶縁本体４の収納スペースに挿入される。スライダ５１は、金属片５３の阻止部５３１１が電子カード６の挿入に伴って後方に押されることによって、後方に向かって移動する。スライダ５１が後方に向かって移動することに伴って、レバー５２の接触端５２１は、スライド槽５１２内をスライドして定位端５１２１に定位される。この過程で、コイルバネ５４は縮まる。電子カード６は、弾力片１３に押圧される。この状態で、電子カード６に設置される導電部(図示せず)は、導電端子２の第１、第２接触部２１１，２２１と接触する。同時に、第１、第２検出端子３１、３２の一対の第３接触部３３は、金属片５３の主体部５３０と接触し、金属片５３によって互いに電気接続される。且つ、金属片５３が移動することによって、検出端子３の摩擦部３７は、金属片５３の主体部５３０に摩擦される。
【００１６】
図７に示すように、電子カード６を抜き出す時、スライダ５１は、コイルバネ５４によって、前方に向かって移動する。同時に、レバー５２の接触端５２１は、定位端５１２１から離れてスライダ５１のスライド槽５１２内をスライドする。電子カード６は、金属片５の阻止部５３１１に推されることによって、前方に向かって押し出される。コイルバネ５４は、元の状態に回復する。電子カード６の導電部は、導電端子２の接触部２１１，２２１を離れる。第１、第２検出端子３１、３２の一対の第３接触部３３は、スライダ５１と金属片５３が前方に移動することによって、主体部５３０から離れてスライダ５１の底部５１４と接触する。これにより、一対の第３接触部３３は、電気接続状態から解除される。この過程で、検出端子３の摩擦部３７は、金属片５３の主体部５３０に摩擦される。
【００１７】
第２実施形態においては、第１、第２検出端子３１、３２は、装着部４１３に隣接する同じ側壁４２の内側に形成される第３端子槽に挿入される。スライダ５１に固着される金属片５３は、この第３端子槽に対応する。電子カード６が挿入される時、第１、第２検出端子３１，３２は、金属片５３の側部に接触することによって、電気接続される。第３実施形態においては、第１、第２検出端子３１，３２は、それぞれ装着部４１３と側壁４２の内側に形成される二つの第３端子槽に挿入される。この実施形態において、金属片５３は、それぞれ第１、第２検出端子３１、３２と接触可能な、互いに連接する第１、第２金属片を有する。これにより、電子カード６が挿入される時、第１、第２検出端子３１，３２は、第１、第２金属片とそれぞれ接触することによって、電気接続される。第４実施形態において、金属片５３は、転送機構によって、スライド可能にスライダ５１に連接される。電子カード６が挿入される時、金属片５３は、スライドして、第１、第２検出端子３１，３２の二つの第３接触部３３と接触し、第１、第２検出端子３１，３２は電気接続される。電子カード６を抜き出す時、第１、第２検出端子３１，３２は、金属片５３が少なくとも一つの第３接触部３３から離れることによって、電気接続状態から解除される。
【００１８】
本考案の多数の特徴及び長所など、その構造及び機能を前述の記載により共に説明してきた。また、前記の記載や、本考案に基づきなし得る細部の修正或は変更など、いずれも本考案の請求範囲に属するものである。
【産業上の利用可能性】
【００１９】
本考案は電子カード用コネクタに関し、特に、第１、第２検出端子の接触部を清潔にして、互いに電気接続することを確保する電子カード用コネクタに関する。
【図面の簡単な説明】
【００２０】
【図１】電子カードが挿入途中に有る状態での、本考案による電子カード用コネクタを示す斜視図である。
【図２】図１に示した本考案の電子カード用コネクタを部分的に分解して示す斜視図である。
【図３】図１に示した本考案の電子カード用コネクタをさらに分解して示す部分分解斜視図である。
【図４】図１に示した本考案の電子カード用コネクタを完全に分解して示す分解斜視図である。
【図５】本考案の電子カード用コネクタに用いるイジェクト機構のスライダと金属片の斜視図である。
【図６】本考案の電子カード用コネクタの図１のＶＩ−ＶＩの方向に沿った断面図である。
【図７】電子カードが挿入された状態で示す本考案による電子カード用コネクタの図１のＶＩ−ＶＩの方向に沿った断面図である。
【符号の説明】
【００２１】
１  蓋体
２  導電端子
３  検出端子
４  絶縁本体
５  イジェクト機構
１１  頂面
１２  側面
１３  弾力片
１４  係合孔
１５  半田付け部
２１  第１導電端子
２２  第２導電端子
３１  第１検出端子
３２  第２検出端子
３３  第３接触部
３４  弾力部
３５  第３半田部
３６  連接部
３７  摩擦部
４１  基部
４２  第１側壁
４３  第２側壁
４４  前壁
４５  後壁
５１  スライダ
５２  レバー
５３  金属片
５４  コイルバネ
１００  電子カード用コネクタ
２１１  第１接触部
２１２  第１半田部
２２１  第２接触部
２２２  第２半田部
４１１  第１端子槽
４１２  第２端子槽
４１３  装着部
４２１  係合塊
４４１  定位槽
４５１  定位柱
５１１  収納槽
５１２  スライド槽
５１３  凹部
５１４  底面
５１５  収納孔
５２１  接触端
５２２  定位端
５３０  主体部
５３１  アーム部
５３２  凸状部片
５３３  嵌合部
４１３１  第３端子槽
５１２１  定位端
５１３１  スロット
５１４１  嵌合槽
５３１１  阻止部  
【図１】
0003122167.tif 000003
【図２】
0003122167.tif 000004
【図３】
0003122167.tif 000005
【図４】
0003122167.tif 000006
【図５】
0003122167.tif 000007
【図６】
0003122167.tif 000008
【図７】
0003122167.tif 000009